(57)【要約】　　　（修正有）【課題】砕氷等被計量物の計量搬送を簡単な構成で円滑に行う。【解決手段】前後のスプロケット１間に掛け渡されるチエン２の回転外周部に、適宜幅ベルト３を波形状にして巻付けた形態として一体回転し、この波形状のベルト３上の各凹部４に被計量物を収容して計量搬送することを特徴とする計量コンベアの構成。凹部４の回転移行上面に升掻具５を設ける。前記ベルト３回転の左右両側端縁を案内して各凹部４の両側面を形成する案内板７を設ける。【選択図】　　　　図１
2004051372.tif 000002
【特許請求の範囲】
【請求項１】
前後のスプロケット１間に掛け渡されるチエン２の回転外周部に、適宜幅ベルト３を波形状にして巻付けた形態として一体回転し、この波形状のベルト３上に形成される各凹部４に被計量物Ａを収容して計量搬送することを特徴とする計量コンベア。
【請求項２】
前記凹部４の回転移行上面に升掻具５を設けたことを特徴とする請求項１に記載の計量コンベア。
【請求項３】
前記ベルト３回転の左右両側端縁６を案内して各凹部４の両側面を形成する案内板７を設けたことを特徴とする請求項１、又は２に記載の計量コンベア。
【発明の詳細な説明】
【０００１】
【発明の属する技術分野】
この発明は、計量コンベアに関し、回転上周面を波形状に形成したベルトを用いて、この波形状の各凹部に砕氷等の被計量物を収容させて容積計量を行わせるものである。被計量物としては、砕氷の他比較的大きい粒状物の計量に好適である。
【０００２】
【従来の技術】
砕氷等を計量するには、一定容積の容器を用いるか、重量計測等が行われている。
【０００３】
【発明が解決しようとする課題】
一定容積の容器やホッパー等を用いて被計量物を計量する形態では、容器を計量排出毎に転倒させたり、シャッターを開いて排出させる等構成が煩雑であり、計量能率も制限される。砕氷は鮮魚市場等でトロ箱や所定大きさの容器等に計量されながら分配供給されることが多い。しかしながらこの砕氷の計量において一定容量の容器やホッパー等を用いるときは、砕氷の氷結作用等によって、氷繰出の詰りやブリッジ現象等を生じ易く、円滑で正確な計量を行い難い。この発明は砕氷等の計量を簡単な構成で、円滑に行わせるものである。
【０００４】
【課題を解決するための手段】
請求項１に記載の発明は、前後のスプロケット１間に掛け渡されるチエン２の回転外周部に、適宜幅ベルト３を波形状にして巻付けた形態として一体回転し、この波形状のベルト３上に形成される各凹部４に被計量物Ａを収容して計量搬送することを特徴とする計量コンベアの構成とする。
【０００５】
チエン２の回転によりこの外周のベルト３が波形状に形成されて回転されて、この波形状の各凹部４に被計量物Ａを供給して搬送させる。各凹部４の被計量物Ａはこのベルト３の回転終端部から、凹部４毎に排出される。各凹部４の容量乃至容積は、波形状のピッチ間隔が一定であることによって均等に形成されて、この各凹部４内に供給収容させて搬送される被計量物Ａの量を略一定にすることができる。
【０００６】
請求項２に記載の発明は、前記凹部４の回転移行上面に升掻具５を設けたことを特徴とするものである。前記回転するベルト３の各凹部４に被計量物Ａを供給して搬送させながら、この搬送中の凹部４上に升掻具５を作用させて掻き均すことによって、各凹部４内の収容被計量物Ａの量を均一化することができる。
【０００７】
請求項３に記載の発明は、前記ベルト３回転の左右両側端縁６を案内して各凹部４の両側面を形成する案内板７を設けたことを特徴とするものである。凹部４を形成して回転するベルト３は、左右両側端縁６を案内板７で案内されると共に、この各凹部４の左右両側端縁６が案内板７で升室壁面が形成されているため、被計量物Ａを各凹部４内に一杯に収容充填させて計量することができる。
【０００８】
【発明の効果】
請求項１に記載の発明は、平形のベルト３をチエン２の外周部に波形状に形成して巻付ける形態とするため、構成が簡単であり、このベルト３の回転によって波形状に連続形成の凹部４を移行させるため、計量排出作用を連続に円滑に速かに行わせることができる。とくに砕氷のように付着氷結性ある被計量物Ａにあっては、ベルト３の揺動性乃至弾性歪み性等によって、このベルト３への付着力を小さくすると共に、砕氷相互間の氷結団塊化を防止することができる。
【０００９】
請求項２に記載の発明は、ベルト３の各凹部４内に供給される被計量物Ａは、上側の升掻具５によって掻き均らされるため、前後の凹部４間の仕切部上に渡って連なる被計量物Ａを無くして、各凹部４内に収容させて、供給量に多少の変化があっても均一化することができ、簡単な構成で、迅速、正確な計量を行うことができる。
【００１０】
請求項３に記載の発明は、ベルト３上の各凹部４は案内板７によって左右両側壁面が形成されるため、各凹部４内に被計量物Ａを一杯に収容させて正確な計量を行うことができ、とくに砕氷計量の場合では、左右両側面を案内板７に摺接させて搬送されるため、ベルト３及びこの案内板７への氷結を防止して円滑な砕氷計量を行うことができる。
【００１１】
【発明の実施の形態】
図例において、この計量コンベア８は、砕氷撹拌ドラム９の排出口１０下部にのぞませて設けられ、搬送終端部をトロ箱等の容器１１上にのぞませることができる。この計量コンベア８は、前後のスプロケット１間に渡って巻回される左右一対のチエン２、このチエン２の外周部に波形状にして巻き付けられるゴム材等を主体とする平ゴムベルト状のベルト３、このベルト３の左右両側端縁６に接近して設けられる案内板７、及び升掻具５等から構成される。左右のチエン２間に渡って取付ステー１２がこのチエンリンクブラケット１３に取付けられて連結される。この取付ステー１２はチエン２の方向に沿って一定の間隔に配置される。
【００１２】
この取付ステー１２の回転外周面にベルト３の下面を支持させて、ビス１４で取付固定する。このベルト３はチエン２よりも長くして一定の間隔位置毎に取付ステー１２に固定する。このベルト３の取付ステー１２に対する固定間隔は、波形状に形成される凹部４の容積に応じて適宜に設定される。又、このベルト３の幅は一定で該凹部４の容積等に応じて適宜に設定される。
該ベルト３の取付ステー１２に対する取付間隔を、チエン２に対する取付ステー１２の取付間隔よりも長くすることによって、ベルト３はこの弾性構成等によって、前後の取付ステー１２における固定部を底部とし、これらの間の中間上端縁３６部を仕切頂部とする正弦波形態の波形状ベルト面を形成する。このため各前後凹部４の容積は略一定に形成される。
【００１３】
前記スプロケット１の軸１５を軸受けするコンベアフレーム１６上には、ベルト３の左右両側面に接近してこの凹部４の上端縁３５と同高さ乃至これよりも高く形成した案内版７を設け、ベルト３の左右両側端縁６をこの案内版７に摺接させて回転させることができる。升掻具５は、このベルト３の回転上端縁３６部に水平状に接近させて、各凹部４の被計量物Ａの升掻き、乃至掻き均しを行うもので、掻均板形態Ｄにして（図１、図２、図５）、案内版７の上端部間にわたって取付ける。このようなベルト３は、一端部のスプロケット軸１５をコンベアフレーム１６上方に設置のモータ１７で連動して回転させる。この升掻具５は、羽根車形態Ｅとして（図６）前記モータ１７によって回転する形態とすることができる。
【００１４】
モータ１７でスプロケット軸１５を回転すると、チエン２及び取付ステー１２が回転され、ベルト３が一体回転される。このベルト３は上辺部において弾性により波形状に形成され、この波形状の凹部４が一定の間隔にして左右の案内版７間に形成される。しかもこの各凹部４の容積は略一定に形成される。このようにして凹部４を形成して回転されるベルト３上に被計量物Ａを供給すると、各凹部４内に一定量毎収容されて搬送され、終端部ではベルト３がスプロケット１の回転面に沿うように伸ばされるため、このベルト３面から凹部４内の被計量物Ａ毎に押し出されるようにして排出される。被計量物Ａの計量は、この凹部４に収容される単位収容量と、この凹部４の杯数とによって決まる。
【００１５】
このベルト３による搬送中に被計量物Ａの多少の変化があるときは、凹部４の上端縁３６上に盛り上げられた部分が升掻具５によって掻き均されるため、各凹部４内の被計量物Ａの量が均一化される。
又、砕氷を計量搬送する場合は、このベルト３の回転搖動、歪や、案内板７への摺動等によって砕氷の付着氷結が行われ難く、円滑で安定した計量を行うことができ、終端部からの排出も円滑に行われる。
【００１６】
計量コンベア８へ被計量物Ａである砕氷を供給するため、撹拌ドラム９を設けて、砕氷を常時氷結しない状態にして供給計量することができる。この撹拌ドラム９の内部には螺旋状の撹拌板１８を有し、外周部の供給口１９から供給される砕氷を回転撹拌しながら一側の排出口１０側へ移送することができる。供給口１９には開閉蓋２１を有し、排出口１０にはシャッター２２及びシュータ２０を有する。２３は撹拌ドラム９を回転自在に支持する支持ローラ、２４はモータで、ギヤ２５を回転して、撹拌ドラム９のラックリング２６を噛合回転させる。
【００１７】
砕氷を撹拌ドラム９に供給させてモータ２４によって一定速度に回転させる。この撹拌ドラム９内では砕氷は撹拌分散されて氷結しない状態に維持される。この砕氷を取り出して計量するときは、モータ１７によって回転される計量コンベア８上に、砕氷を供給する。シャッター２２を開くことによって撹拌ドラム９の砕氷が排出口１０からベルト３上面に供給されて、一定容積に計量されて搬送される。
【００１８】
ここでベルト３の各凹部４での計量は、撹拌ドラム９の回転速度とベルト３の回転速度との関係によって、各凹部４に供給収容される砕氷量を一定に維持することができる。この場合、各凹部４における計量を変えるときは、この撹拌ドラム９の排出口１０の開度をシャッター２２で調節することによって変更できる。又、この排出口１０開度を一定としてベルト３の回転速度を変更することによっても調節できる。
【００１９】
このようにしてベルト３の各凹部４における被計量物Ａの量を略均一に維持するが、このベルト３の終端から容器１１へ分配供給するときは、この容器１１の形態によって供給形態を異にする。例えば、前記のような鮮魚市場における床面Ｂに並べられたトロ箱Ｃに略一定量毎供給するときは、前記撹拌ドラム９や計量コンベア８等を搭載した台車２７乃至トラックを、トロ箱Ｃの敷詰列に沿って移動させながら、この計量コンベア８終端のシュート２８をトロ箱Ｃ上にのぞませる。この計量コンベア８は連続回転させながら、各トロ箱Ｃ当りの砕氷供給量を一定容積量に決めておき、凹部４の一定回転数毎にシュータ２８の切替や、台車２７の走行等を行わせる。
【００２０】
又、このトロ箱Ｃが単一の箱である場合や、単一の袋等に対して個別的に供給するときは、シャッター２２を開いて回転するベルト３における必要数の凹部４に砕氷を充填供給すればよい。又、比較的大きい容器１１に多量供給するときは、前記のように計量コンベア８を連続回転させながら供給させる。この場合は計量コンベア８の回転数、又は凹部４の回転杯数等によって供給量を知ることができる。
【００２１】
このような計量処理操作を行うために、計量コンベア８の回転終端部に凹部４における被計量物Ａの充填が行われたことを検出する計量センサ２９を設け、この計量センサ２９の凹部４内の被計量物Ａを検出によって、コントローラ３０の表示器３１に計量数をデジタル表示させる構成とし、この表示器３１の計量数を見ながら規定数に達したとき計量スイッチ３７操作等でシャッター２２を閉鎖することができる。この計量スイッチ３７は押し操作する毎にシャッター２２の電磁ソレノイドによる電磁的開作動と、閉作動を交互に作動させるものである。
又、コントローラ３０に設けられる計量設定器３５によって、予め計量目標量を設定しておき、この計量コンベア８による計量が設定された設定計量数に達したとき、これらシャッター２２や計量コンベア８を自動的に閉鎖、停止するように構成することもできる。
【００２２】
又、計量コンベア８をステッピングモータ１７等で凹部４の配置間隔毎に間歇的に回転させるように伝動構成し、シャッター２２を開いて砕氷を凹部４に供給して充填させる毎に、この充填状態を検出する計量センサ２９によってステッピングモータ１７を駆動させて一凹部４毎搬送させる構成とすることもできる。この形態は前記小量で個別的容器１１に計量供給する場合に便利である。
このような計量センサ２９を用いた自動検出に基づく自動モードによる計量処理の他に、切替スイッチ３８を設けることにより、手動モードに切替えることによって、この手動モードよる場合として作業者が各凹部４に対する被計量物Ａの充填を見ながら、ベルト３を間歇的に回転駆動させ、シャッター２２の開閉操作を行わせる形態とすることができる。、
【００２３】
前記車台２７は魚市場等の床面Ｂを走行することができ、トロ箱Ｃの並べられたトロ箱Ｃ列に沿って走行しながら各箱Ｃに対して一定量毎砕氷Ａを供給することができる。このとき各トロ箱Ｃに対するベルト３凹部４の計量回転数を決めて回転させながら走行させる。車台２７には前記撹拌ドラム９が支枠３２によって支架される。車輪３３を配置して操向ハンドル３４によって操向できる。
【図面の簡単な説明】
【図１】計量コンベアの側面図。
【図２】その正面図。
【図３】その砕氷撹拌ドラムに組み合わせた形態の配置側面図。
【図４】その正面図。
【図５】その一部升掻具部の作用状態を示す側面図。
【図６】その別実施例に係る升掻具部の作用状態を示す側面図。
【図７】その計量コンベアの駆動制御ブロック図。
【図８】その作用状態を示す平面図。
【符号の説明】
１　スプロッケット
２　チエン
３　ベルト
４　凹部
５　升掻具
６　側端縁
７　案内板
Ａ　被計量物
【図１】
2004051372.tif 000003
【図２】
2004051372.tif 000004
【図３】
2004051372.tif 000005
【図４】
2004051372.tif 000006
【図５】
2004051372.tif 000007
【図６】
2004051372.tif 000008
【図７】
2004051372.tif 000009
【図８】
2004051372.tif 000010